(57)【要約】【課題】温度上昇などによるピントずれを良好に補正する光走査装置、画像読取装置および画像形成装置を提供する。【解決手段】第１走行体１３に設けられた第１反射ミラー２１、または第２走行体１４に設けられた第２反射ミラー２７および第３反射ミラーのうち、少なくともいずれか一方の走行体に設けられた反射ミラーを走行体の移動方向に対して移動自在に構成する。第２走行体１４では、第２，第３反射ミラーを備えた第２保持部材３４と、第１走行体１３と任意の関係で保持された第１保持部材３３とを備え、第１保持部材３３上を第２保持部材３４が副走査方向に移動可能となっている。【選択図】図１
2008072612.tif 000002
【特許請求の範囲】
【請求項１】
原稿に光照射を行い、反射光を結像レンズに結像する光走査装置であって、
前記原稿に光照射を行う光源と、前記光照射による前記原稿からの反射光を反射する第１反射部材とを備え、原稿面に沿って移動自在である第１走行体と、
前記第１走行体からの前記反射光を反射して前記結像レンズに結像させる第２反射部材を備え、原稿面に沿って前記第１走行体と一定の速度比にて移動自在である第２走行体とを有し、
前記第１反射部材および第２反射部材のうち少なくともいずれか一方は、それぞれが備えられた前記第１走行体および前記第２走行体の移動する方向に対して移動自在であることを特徴とする光走査装置。
【請求項２】
前記第２走行体は、前記第１走行体と任意の関係で保持される第１保持部材と、前記第１保持部材に対して移動自在に設けられる第２保持部材とを備え、
前記第２保持部材は、前記第２反射部材を有することを特徴とする請求項１記載の光走査装置。
【請求項３】
前記第１保持部材は、前記第２保持部材の位置を調整する位置調整手段を有することを特徴とする請求項２記載の光走査装置。
【請求項４】
前記位置調整手段は、前記第２保持部材が前記第１保持部材に保持される保持位置の両端部に少なくとも１ずつ設けられ、端部ごとに個別に位置調整を可能としたことを特徴とする請求項３記載の光走査装置。
【請求項５】
請求項１から４のいずれか１項記載の光走査装置と、
前記光走査装置の光走査に基づき結像レンズにて結像された反射光を電気信号に変換する光電変換素子と、
前記結像レンズにて結像されたピントの位置変動を検出する位置変動検出手段とを有することを特徴とする画像読取装置。
【請求項６】
前記位置変動検出手段は、原稿が載置される原稿台の有効領域外に設けられた、位置変動検出用の検出マークを有することを特徴とする請求項５記載の画像読取装置。
【請求項７】
前記位置変動検出手段は、前記光電変換素子にて前記ピントの位置変動を測定することを特徴とする請求項５記載の画像読取装置。
【請求項８】
画像読取装置内の温度を検知する温度検知手段と、
上昇した前記温度に基づいて、前記ピントの位置変動を補正する補正値を算出する算出手段と、
前記補正値に基づいて前記ピントの位置変動を調整することを特徴とする請求項５から７のいずれか１項記載の画像読取装置。
【請求項９】
請求項５から８のいずれか１項記載の画像読取装置を有する画像形成装置。
【発明の詳細な説明】
【技術分野】
【０００１】
本発明は、複数枚の反射ミラーを２つの走行体に分離して走査する光走査装置、画像読取装置および画像形成装置に関し、特に、複写機、ファクシミリ等に使用される光走査装置、画像読取装置および画像形成装置に関する。
【背景技術】
【０００２】
一般的な画像読取装置の構成を図６に示す。
原稿面１１の上に載置された原稿１２を、第１走行体１３に配置された図示しない光源より光照射を行う。原稿１２からの反射光を第１ミラー１３ａで反射し、さらに第２走行体１４に配置された第２ミラー１４ａおよび第３ミラー１４ｂで折り返す反射光学系を介して、結像レンズ１５にて集光する。結像レンズ１５は、集光光を光電変換素子１６上に結像し、光電変換素子１６にて電気信号に変換する。
【０００３】
第１走行体１３は原稿面を任意の速度で走査する。第２走行体１４は第１走行体１３の１／２の速度で第１走行体１３と同方向に走査しながら、原稿１２の原稿面から光電変換素子１６までの光路長を一定に保っている。また光電変換素子１６は、光の３原色である赤（Ｒｅｄ），緑（Ｇｒｅｅｎ），青（Ｂｌｕｅ）の３色に色分解して色情報を読み取ることが可能であり、それぞれの光電変換素子で変換された電気信号を合成することでカラー原稿を読み取ることができる。
光電変換素子には一般的に、ＣＣＤ（Charge Coupled Devices）が用いられている。
【０００４】
このような画像読取装置において、昨今の小型化と高速な信号処理化の影響により、光電変換素子であるＣＣＤの発熱量が上昇し、画像読取装置内の雰囲気温度が上昇してしまうという問題が発生する。
【０００５】
また、ＣＣＤ以外にも、原稿を照明する光源の発熱なども画像読読取装置の内部温度を上昇させてしまう原因の一つである。
【０００６】
これらのことにより、結像レンズは、用いられているガラス材などの熱膨張や屈折率の温度変化やレンズを保持している鏡筒の熱膨張などにより、焦点距離が変化してしまいＣＣＤ面上に良好に結像できなくなってしまう。
【０００７】
またその一方で、ＣＣＤ自体も雰囲気温度の上昇により、結像レンズからＣＣＤまでの距離がこれらを保持している部材の熱膨張で伸びることにより、結像レンズの結像位置から離れてしまうことで良好な結像が得られなくなるという問題が発生する。
【０００８】
このような問題を解決する従来技術として、特許文献１および特許文献２に開示された発明が公知である。特許文献１には、熱膨張の大きい部材を用い、この熱膨張の大きい部材にて結像レンズとＣＣＤを保持する部材とを連結することで、温度上昇時にレンズの位置をＣＣＤに近づけるよう補正する発明が記載されている。
【０００９】
特許文献２には、レンズ鏡筒の伸びと鏡筒およびラインＣＣＤの保持部材との伸びにより、焦点距離を補正する発明が記載されている。この特許文献２では、原稿読取装置内の雰囲気温度が上昇することによって生じる、レンズの焦点距離の変化と鏡筒部材の伸びによるレンズ全長との和が、伸びる方向である場合には、その伸び量と対応する線膨張係数をもつ材料を保持部材に選択することで結像位置がずれることを補償している。
【特許文献１】特開２００１−０８４３５２号公報
【特許文献２】特開平９−０４９９５７号公報
【発明の開示】
【発明が解決しようとする課題】
【００１０】
しかし、いずれの特許文献にも次のような問題が残っている。１つは、画像読取装置内の雰囲気温度の不均一性である。どうしても、熱源であるＣＣＤの方が結像レンズよりも熱くなりやすく、結像レンズとの温度差が発生してしまう。そのため、結像レンズの位置を熱膨張の大きい部材で補正しようとしても、温度差によって上手くいかない可能性がある。また、結像レンズの焦点距離の変化もＣＣＤ周辺の温度と異なることから、ＣＣＤの位置ずれ量と、結像レンズの焦点距離の変化は線形に推移しなくなる。
【００１１】
もう１つの問題としては、ＣＣＤ自体も温度分布に不均一性があるということである。ＣＣＤは、駆動電圧の入力端子側の方が熱くなりやすく、反対側とは温度差が生じてしまう。したがって、ＣＣＤを保持している部材も、左右で温度差が出ることでＣＣＤの伸び量も左右で異なってくるので、結像レンズの位置を補正した場合ではＣＣＤの左右のピントずれを補正することができない。
【００１２】
このような課題に鑑み、本発明は、温度上昇などによるピントずれを良好に補正する光走査装置、画像読取装置および画像形成装置を提供することを目的としている。
【課題を解決するための手段】
【００１３】
上記の目的を達成するため、請求項１に記載の発明は、原稿に光照射を行い、反射光を結像レンズに結像する光走査装置であって、原稿に光照射を行う光源と、光照射による原稿からの反射光を反射する第１反射部材とを備え、原稿面に沿って移動自在である第１走行体と、第１走行体からの反射光を反射して結像レンズに結像させる第２反射部材を備え、原稿面に沿って第１走行体と一定の速度比にて移動自在である第２走行体とを有し、第１反射部材および第２反射部材のうち少なくともいずれか一方は、それぞれが備えられた第１走行体および第２走行体の移動する方向に対して移動自在であることを特徴とする。
【００１４】
請求項２に記載の発明は、請求項１記載の光走査装置において、第２走行体は、第１走行体と任意の関係で保持される第１保持部材と、第１保持部材に対して移動自在に設けられる第２保持部材とを備え、第２保持部材は、第２反射部材を有することを特徴とする。
【００１５】
請求項３に記載の発明は、請求項２記載の光走査装置において、第１保持部材は、第２保持部材の位置を調整する位置調整手段を有することを特徴とする。
【００１６】
請求項４に記載の発明は、請求項３記載の光走査装置において、位置調整手段は、第２保持部材が第１保持部材に保持される保持位置の両端部に少なくとも１ずつ設けられ、端部ごとに個別に位置調整を可能としたことを特徴とする。
【００１７】
請求項５に記載の発明は、請求項１から４のいずれか１項記載の光走査装置と、光走査装置の光走査に基づき結像レンズにて結像された反射光を電気信号に変換する光電変換素子と、結像レンズにて結像されたピントの位置変動を検出する位置変動検出手段とを有する画像読取装置であることを特徴とする。
【００１８】
請求項６に記載の発明は、請求項５記載の画像読取装置において、位置変動検出手段は、原稿が載置される原稿台の有効領域外に設けられた、位置変動検出用の検出マークを有することを特徴とする。
【００１９】
請求項７に記載の発明は、請求項５記載の画像読取装置において、位置変動検出手段は、光電変換素子にてピントの位置変動を測定することを特徴とする。
【００２０】
請求項８に記載の発明は、請求項５から７のいずれか１項記載の画像読取装置において、画像読取装置内の温度を検知する温度検知手段と、上昇した温度に基づいて、ピントの位置変動を補正する補正値を算出する算出手段と、補正値に基づいてピントの位置変動を調整することを特徴とする。
【００２１】
請求項９に記載の発明は、請求項５から８のいずれか１項記載の画像読取装置を有する画像形成装置であることを特徴とする。
【発明の効果】
【００２２】
このように本発明の光走査装置、画像読取装置および画像形成装置によれば、ピントの位置ずれを良好に補正することができる。
【発明を実施するための最良の形態】
【００２３】
以下に、本実施形態の光走査装置、画像読取装置および画像形成装置について図面を参照しながら説明する。なお本実施形態は以下に述べるものに限定されず、その趣旨を逸脱しない範囲において種々変更が可能である。
【００２４】
図１は、本実施形態の光走査装置の正面図である。図１を用いて、本実施形態の反射光学系の移動の一例について説明する。
【００２５】
本実施形態の光走査装置は、原稿を照明するための光源２２と原稿からの反射光を反射する第１反射ミラー２１とが、第１走行体１３に搭載されている。光源２２には、Ｘｅランプなどが適用される。また第２走行体１４には、第２反射ミラーと図示しない第３反射ミラーとが搭載されている。光源２２にて照明された原稿像は、第１反射ミラー２１にて反射され、第２反射ミラー２７および第３反射ミラーを介して、図示しない結像レンズへと導かれる。
【００２６】
第１走行体１３および第２走行体１４は、図１中矢印Ａで示す副走査方向に移動自在となるよう、図示しないレール上に配置されており、第１走行体はワイヤ３１と締結されている。反射光学系の両側には、固定されたアイドラプーリ２３，２６が設けられている。また第２走行体１４には、二溝プーリ２５が設けられている。
【００２７】
ワイヤ３１は、反射光学系を収納する筐体の一端部５０で固定される。そしてワイヤ３１は、この筐体の端部５０から第２走行体１４の二溝プーリ２５とアイドラプーリ２６とに順次掛けられ、ワイヤプーリ２４に数回巻かれる。ワイヤプーリ２４は、回転する軸を介して図示しない筐体外部のギアおよびステッピングモータに接続される。
【００２８】
ワイヤ３１はワイヤプーリ２４に数回巻かれた後、さらにアイドラプーリ２３と二溝プーリ２５とに順次掛けられた後、スプリング３２を介して筐体の反対側（端部５０の反対側）で固定される。このような構造によって、ステッピングモータを駆動させるとその駆動力によりワイヤプーリ２４が回転し、ワイヤ３１に引かれる形で第１走行体１３および第２走行体１４が２：１の速度比で副走査方向Ａへ移動する。
【００２９】
したがって第１走行体１３および第２走行体１４は、アイドラプーリ２３，２６を支点として、掛け渡されたワイヤ３１によって指示された状態となっている。そして、第１走行体１３および第２走行体１４が副走査方向Ａへと２：１の速度比で移動することにより、コンタクトガラス（原稿面）１１に載置された原稿の画像を、図示しない結像レンズとＣＣＤとで読み取っている。
【００３０】
ここで本実施形態の特徴部分は、第２走行体１４に用いられている。第２走行体１４の詳細を図２を用いて説明する。図２（ａ）は第２走行体１４の正面図を示し、図２（ｂ）は第２走行体１４の平面図を示す。
【００３１】
第２走行体１４は、第１保持部材３３と、第２保持部材３４とを備えており、第１保持部材３３は、二溝プーリ２５に図１中のワイヤ３１で固定され、第１走行体１３と任意の関係で保持されている。任意の関係とは、第１走行体１３と第２走行体１４との副走査方向での距離であり、原稿面からＣＣＤまでの光路長を一定に保つものである。
【００３２】
第２保持部材３４には、第２反射ミラー２７と図示しない第３反射ミラーとが固定されている。また第２保持部材３４は、連結部２９，３６において、固定部材３９，４０を用いて第１保持部材３３に対し第２保持部材３４が摺動自在となるように連結される。また連結部２９，３６はそれぞれ長穴を有し、第２保持部材３４は、第１保持部材３３に対して、副走査方向のみ移動自在となる。
【００３３】
第１保持部材３３には、第２保持部材３４の位置を調整するためのモータ３５，３８と、板バネ３０とが設けられている。位置を調整するモータ３５，３８は、略楕円形の回転体を有しており、モータの回転に合わせて、長辺に向かうに従って第２保持部材３４の位置を板バネ３０側に移動させることができる。また一方、長辺から短辺へ向かうに従って、板バネ３０の力によって第２保持部材をモータ側へと移動させることができる。
【００３４】
またモータ３５，３８をそれぞれ両側に別々に配置することによって、第２保持部材３４の位置を第１保持部材３３に対して左右それぞれ別々に調整することが可能となる。
【００３５】
本実施形態の光走査装置によれば、第２反射ミラー，第３反射ミラーを副走査方向と垂直の方向に保ちつつ（原稿面と平行に）、反射ミラーの位置を移動させることができる。したがって、他のレンズやＣＣＤを動かして位置を再調整する必要なく、装置内の温度上昇時による位置ずれの補正を行うことが可能となる。
【００３６】
また、ピントの位置ずれの調整量として、第２保持部材３４を移動させることによる光路長の変化量は第２保持部材３４の移動量の２倍となる。したがって、ピントの位置ずれ量を、補正したい所望のずれ量の半分（１／２）だけ調整量として移動させればよい。また調整のための、モータ３５，３８が備える略楕円体の長辺の長さは、短辺の長さに対して、必要となる量よりも大きくすれば十分である。
【００３７】
なお本実施形態では、第２走行体１４の反射ミラー（第２反射ミラー，第３反射ミラー）が移動する、すなわち第２走行体側で位置ずれ調整を行うものとして説明した。しかし、第１走行体１３側でも同様に位置ずれ調整を行うことができる。例えば、第１走行体１３に固定された第１反射ミラー２１を、第１走行体１３の移動方向（走査方向）に移動可能な構成としたり、第２走行体１４のように保持部材を設けて移動させることも可能である。
【００３８】
本実施形態の光走査装置を用いることにより、画像読取装置内の温度上昇によるピントずれを、光走査装置の反射光学系に設けられた反射ミラーの位置を動かすことで補正することができる。画像読取装置に用いられる結像系は、画像読み取り幅よりもＣＣＤの幅が狭い縮小系が一般的であるため、結像レンズやＣＣＤの位置を補正するよりも反射ミラーの位置を補正する方が精度を緩くすることができる。
【００３９】
また、第２走行体の反射ミラーを移動させても原稿の読み取り開始位置を変化させることなく温度上昇時のピント位置ずれを保証することが可能となる。また、走行体を２つの部材に分割することにより、原稿読み読み取り時は、原稿面から光電変換素子の光路長を一定に保ちつつ、温度変化による光路長の変化を行うことが可能となる。
【００４０】
また、第一保持部材に位置補正機構を設けることにより、走行体の走査中にも第２保持部材の位置を任意に固定することが可能となる。さらに、位置調整機構を左右別々に行えることにより、ＣＣＤの発熱によるＣＣＤの位置変動に左右で異なる場合においても、各々調整することができる。
【００４１】
温度変動によるピントの位置ずれを検出する検出手段の一例を図３に示す。
図３は、図６に例示した画像形成装置の原稿面近傍の拡大図である。画像の白を規定する白基準板１７と、白基準板１７を押さえつけるスケール１８とが、原稿面１１の有効画像領域外に設けられている。
【００４２】
図４は、白基準板１７の一例を示す平面図である。白を決めるための領域以外に、左右のピントの位置ずれを検出するための検出マーク４１，４２が設けられている。
【００４３】
本実施形態の検出マーク４１，４２は、所望のピッチで配列した白黒のラインペアである。画素ピッチやその整数倍のピッチでは、画像のモアレなどが発生しやすいため、通常は画素ピッチの２倍よりも若干広めのピッチのラインペアを用いるのがよい。このラインペアによるＣＣＤ出力での白と黒とのコントラストを検出することで、ピントの位置ずれを検出することができる。
【００４４】
測定したピントの位置ずれ検出マークのコントラストが低い場合には、前述した第２走行体１４に設けられた位置補正手段により、第２，第３反射ミラーの位置を変化させて、再度ピントの位置ずれ検出マークを測定する。このときに良好なコントラストが得られれば、そのまま画像の読み取りを開始する。一方位置ずれ補正が足りない場合には、再度反射ミラーの位置を変化させるようにする。このようにすることにより、原稿面から結像レンズまでの距離を変化させることでピントの位置ずれを良好に補正することができる。また、ピントの位置ずれ検出マークを左右各々に設けることで、左右のピントずれを別々に検出することが可能となる。
【００４５】
前述した実施形態では、ピントの位置ずれを検出し、その検出結果から位置ずれを補正することを目的とした。しかし、ピントの位置ずれの主な発生原因は、レンズの焦点距離の変化やＣＣＤの保持部材の伸びによるＣＣＤの位置ずれに基づく変化である。したがって、その変化量を予め測定しておくことにより、ピントの位置ずれ検出マークを用いずに位置ずれ補正を行うことも可能である。画像形成装置内の温度を測定し、その温度のときにＣＣＤ上でのピント位置がどの位置にくるのかを予測しておくことで、ピントの位置ずれ補正を行うことができる。
【００４６】
本実施形態によれば、ピント位置ずれを検出し、反射光学系の位置を調整することにより、温度上昇時のピント位置ずれを良好に補正することができる。また、予め温度に対するピント位置の変動量を把握しておくことにより、画像読取装置内の温度測定結果をもとにピント位置ずれの量を測定することなくピント位置ずれを補正することが可能となる。
【００４７】
図５は、本実施形態の画像形成装置を示す図である。
図５の上部には、本実施形態の反射光学系を備えた画像読取装置が配置され、その下部に画像形成装置（画像形成部）が配置される。ここでは、画像形成部としてレーザプリンタを用いて説明する。
【００４８】
レーザプリンタ１００は、潜像担持体１１１として「円筒状に形成された光導電性の感光体」を有している。潜像担持体１１１の周囲には、帯電手段としての帯電ローラ１１２と、現像装置１１３と、転写ローラ１１４と、クリーニング装置１１５とが配備されている。帯電手段としては「コロナチャージャ」を用いることもできる。さらに、レーザビームＬＢにより光走査を行う光走査装置１１７が設けられ、帯電ローラ１１２と現像装置１１３との間で「光書込による露光」を行うようになっている。
【００４９】
また、符号１１６は定着装置、符号１１８はカセット、符号１１９はレジストローラ対、符号１２０は給紙コロ、符号１２１は搬送路、符号１２２は排紙ローラ対、符号１２３はトレイ、符号Ｐは記録媒体としての転写紙を示している。
【００５０】
画像形成を行うときは、光導電性の感光体である像担持体１１１が時計回りに等速回転され、その表面が帯電ローラ１１２により均一帯電され、光走査装置１１７のレーザビームＬＢの光書込による露光を受けて静電潜像が形成される。形成された静電潜像は所謂「ネガ潜像」であって、画像部が露光されている。この静電潜像は現像装置１１３により反転現像され、像担持体１１１上にトナー画像が形成される。
【００５１】
転写紙Ｐを収納したカセット１１８は、画像形成部１００本体に脱着可能である。図５中のごとく装着された状態のカセット１１８において、収納された転写紙Ｐの最上位の１枚が給紙コロ１２０により給紙される。給紙された転写紙Ｐは、その先端部をレジストローラ対１１９に捕らえられる。レジストローラ対１１９は、像担持体１１１上のトナー画像が転写位置へ移動するのにタイミングを合わせて、転写紙Ｐを転写部へと送り込む。
【００５２】
転写部へ送り込まれた転写紙Ｐは、この転写部においてトナー画像と重ね合わせられ転写ローラ１１４の作用によりトナー画像を静電転写される。トナー画像を転写された転写紙Ｐはさらに定着装置１１６へ送られ、定着装置１１６においてトナー画像を定着される。そして搬送路１２１を通り、排紙ローラ対１２２によりトレイ１２３上に排出される。
トナー画像が転写された後の像担持体１１１の表面は、クリーニング装置１１５によりクリーニングされ、残留トナーや紙粉等が除去される。
【００５３】
像担持体１１１に光走査により潜像を形成し、上記潜像を可視化して所望の記録画像を得る画像形成装置において、像担持体１１１を光走査する光走査装置として、本実施形態の反射光学系を備えた光走査装置を用いる。像担持体１１１は光導電性の感光体であり、その均一帯電と光走査とにより静電潜像が形成され、形成された静電潜像がトナー画像として可視化される。
このような画像形成装置によれば、どのような温度環境においてもピントずれのない画像の出力が可能となる。
【００５４】
本実施形態の光走査装置によれば、反射光学系に設けられた反射ミラーの位置を、第１走行体と第２走行体との関係を崩すことなく動かすことできるので、温度上昇時のピント位置ずれを良好に補正することが可能となる。
【００５５】
また、従来の第１走行体の反射ミラーを動かす場合は、原稿の読み取り開始位置を補正することが必要になってしまう。しかし本実施形態の第２走行体の反射ミラーを動かす場合であれば、原稿読み取り開始位置を補正する必要が無く、第２走行体の反射ミラーの位置だけで、単独に温度上昇時のピント位置ずれを補正することが可能となる。
【００５６】
また、反射ミラーの位置を調整する走行体を２つの部材に分割することにより、原稿読み取り時は、原稿面から光電変換素子の光路長を一定に保ちつつ、温度変化による光路長の変化を行うことができる。
【００５７】
また従来では、走行体の外部に位置調整機構を設ける場合、ある決まった位置でなければ調整することができなかった。しかし本実施形態のように、走行体の第１保持部に位置調整機構を設けることにより、始動前や移動中など、どのタイミングであっても温度上昇時の反射ミラーの位置を調整することが可能となる。
【００５８】
また、ＣＣＤの発熱にばらつきがありＣＣＤの左右で温度差がある場合、従来ではＣＣＤを保持している部材の伸び量が左右で変わってきてしまうことに対応できなかった。しかし本実施形態では、位置調整機構を左右別々に有することにより、左右の位置ずれ量を個別に調整することができ、温度上昇時のピント位置ずれを良好に補正することが可能となる。
【００５９】
また本実施形態の画像読取装置はピント位置ずれを検出する手段を有し、温度上昇時のピント位置ずれを検出することができる。画像読取装置内の温度上昇の影響を受けることなく、いつでも良好な画像読み取りが可能となる画像読取装置を提供できる。
【００６０】
また、画像読み取り範囲の有効領域外に設けることにより、画像読み取りに影響なくピント位置の検出を行うことができ、いつでも良好な画像読み取りが可能となる画像読取装置を提供できる。
【００６１】
また、ピント位置ずれの検出を通常画像読み取りに使用する光電変換素子で行うことができるため、新たにピント位置ずれを検出するための部品を追加する必要が無い。したがって、掛かる費用を抑え良好な画像読み取りが可能となる画像読取装置を提供できる。
【００６２】
また、温度上昇時のピント位置ずれを、画像読取装置内の温度とその温度に対する調整量を予め用意しておき、機内温度を測定するだけですぐにピント位置ずれを調整することができる。つまり、位置ずれを検出後に反射ミラーの位置を変動させてフィードバックさせる手段を用いるよりもリアルタイムな調整が可能になる。したがって、装置の立ち上がり時間の短縮、画像読取途中での雰囲気温度上昇によるピント位置調整の時間短縮が可能となり、いつでも良好な画像読み取りが可能となる画像読取装置を提供することができる。
【００６３】
さらに本実施形態の画像形成装置よれば、いつでも良好な原稿画像の形成を行うことが可能となる。
【図面の簡単な説明】
【００６４】
【図１】本実施形態の光走査装置を模式的に示す図である。
【図２】本実施形態の第２保持部材１４を示す図であり、（ａ）は正面図を示し、（ｂ）は平面図を示す。
【図３】本実施形態のピントの位置ずれ検出手段の一例を示す図である。
【図４】本実施形態の白基準版１７の一例を示す平面図である。
【図５】本実施形態の画像形成装置の一例を示す図である。
【図６】一般的な画像読取装置を示す図である。
【符号の説明】
【００６５】
１１    原稿面
１２    原稿
１３    第１走行体
１３ａ    第１ミラー
１４    第２走行体
１４ａ    第２ミラー
１４ｂ    第３ミラー
１５    結像レンズ
１６    光電変換素子
２１    第１反射ミラー
２２    光源
２３，２６    アイドラプーリ
２４    ワイヤプーリ
２５    二溝プーリ
２７    第２反射ミラー
２９，３６    連結部
３０    板バネ
３１    ワイヤ
３２    スプリング
３３    第１保持部材
３４    第２保持部材
３５，３８    モータ
３９，４０    固定部材
５０    端部
【図１】
2008072612.tif 000003
【図２】
2008072612.tif 000004
【図３】
2008072612.tif 000005
【図４】
2008072612.tif 000006
【図５】
2008072612.tif 000007
【図６】
2008072612.tif 000008